(57)【要約】【課題】  複写機、ファクシミリ、あるいは複合機などが備える原稿画像を読み取るスキャナーを用いて、自動的に画像形成手段の補正を行うことを目的とする。【解決手段】  複合機１１は、所定のタイミングで所定のテスト画像を記録紙Ｐに形成し、そのテスト画像をスキャナー部５０に送ってセットして読み取り、読み取った画像情報に基づき制御部１６２は、各色の露光ヘッド１２４の各ＬＥＤの光量を個別に制御し、画像品質の低下を解消する。【選択図】        図２
2005266279.tif 000002
【特許請求の範囲】
【請求項１】
画像を読み取る読取部と、
前記読取部で読み取った画像情報、及び予め記憶された画像情報に基づき記録媒体に画像を形成する画像形成部と、
画像が形成された前記記録媒体を排出部に排出する排出手段と、
前記排出手段から分岐し、前記記録媒体を前記読取部に搬送する搬送手段と、
画像が形成された前記記録媒体を前記排出手段と前記搬送手段とのいずれかへ搬送する経路切替手段と、
前記予め記憶された画像情報に基づいて前記記録媒体に形成されたテスト画像を前記読取部で読み取り、読み取った画像情報に基づき、前記画像形成部で形成する画像の画質補正を行う補正手段と、
を備えることを特徴とする画像形成装置。
【請求項２】
画像を読み取る読取部と、
前記読取部で読み取った画像情報を通信回線で送信する送信手段と、
通信回線を介して送られてきた画像情報を受信する受信手段と、
前記受信手段で受信した画像情報、及び予め記憶された画像情報に基づき記録媒体に画像を形成する画像形成部と、
画像が形成された前記記録媒体を排出部に排出する排出手段と、
前記排出手段から分岐し前記記録媒体を前記読取部に搬送する搬送手段と、
画像が形成された前記記録媒体を前記排出手段と前記搬送手段とのいずれかへ搬送する経路切替手段と、
前記予め記憶された画像情報に基づいて前記記録媒体に形成されたテスト画像を前記読取部で読み取り、読み取った画像情報に基づき、前記画像形成部で形成する画像の画質補正を行う補正手段と、
を備えることを特徴とする画像形成装置。
【請求項３】
一方の面にのみ画像が形成された前記記録媒体を収容する収容部と、
前記テスト画像が前記読取部で読み取られた後、該テスト画像が形成された記録媒体を前記収容部に搬送する補助搬送手段と、
を備えることを特徴とする請求項１又は請求項２に記載の画像形成装置。
【請求項４】
前記収容部の記録媒体は前記画像形成部に搬送されて、他方の面に画像が形成され、
前記補助搬送手段は、前記テスト画像が形成された記録媒体を、テスト画像が形成されていない面に画像形成可能なように前記収容部に搬送することを特徴とする請求項３に記載の画像形成装置。
【請求項５】
電源投入時に前記補正手段で前記画像形成部で形成する画像の画質補正を行うことを特徴とする請求項１から請求項４のいずれか１項に記載の画像形成装置。
【請求項６】
所定の数の前記記録媒体に画像の形成を行うごとに、前記補正手段で前記画像形成部で形成する画像の画質補正を行うことを特徴とする請求項１から請求項５のいずれか１項に記載の画像形成装置。
【請求項７】
温度を測定する温度センサー及び湿度を測定する湿度センサーのどちらか一つ、あるいは両方を備え、
温度及び湿度のどちらか一つ、あるいは両方が設定値となると、前記補正手段で前記画像形成部で形成する画像の画質補正を行うことを特徴とする請求項１から請求項６のいずれか１項に記載の画像形成装置。
【請求項８】
前記画像形成部は、
回転する像担持体と、
前記像坦持体を所定の電位に帯電させる帯電手段と、
帯電後の前記像担持体を露光し静電潜像を形成する露光手段と、
前記静電潜像を現像し前記像担持体上にトナー像を形成する現像手段と、
前記像担持体上の前記トナー像を記録媒体に転写する転写手段と、
を少なくとも備える電子写真プロセス手段であって、
前記補正手段は、前記帯電手段及び前記現像手段のどちらか一方、又は両方の動作電位を補正することを特徴とする請求項１から請求項７のいずれか１項に記載の画像形成装置。
【請求項９】
前記画像形成部は、
回転する像担持体と、
前記像坦持体を所定の電位に帯電させる帯電手段と、
帯電後の前記像担持体を露光し静電潜像を形成する露光手段と、
前記静電潜像を現像し前記像担持体上にトナー像を形成する現像手段と、
前記像担持体上の前記トナー像を記録媒体に転写する転写手段と、
を少なくとも備える電子写真プロセス手段であって、
前記補正手段は、前記露光手段の露光量を補正することを特徴とする請求項１から請求項７のいずれか１項に記載の画像形成装置。
【請求項１０】
前記露光手段は複数のＬＥＤを備え、前記各ＬＥＤの各光量を補正することを特徴とする請求項９に記載の画像形成装置。
【請求項１１】
前記画像形成部は、複数のノズルからインク滴を吐出し、前記記録媒体に画像を形成するインクジェット記録ヘッドを備えるインクジェット記録手段であって、
前記補正手段は、前記インクジェット記録ヘッドのインク滴の吐出タイミングを補正することを特徴とする請求項１から請求項７のいずれか１項に記載の画像形成装置。
【請求項１２】
前記画像形成部は、複数のノズルからインク滴を吐出し、前記記録媒体に画像を形成するインクジェット記録ヘッドを備えるインクジェット記録手段であって、
前記補正手段は、前記インクジェット記録ヘッドの前記各ノズルから吐出するインク滴の吐出量を補正することを特徴とする請求項１から請求項７のいずれか１項に記載の画像形成装置。
【発明の詳細な説明】
【技術分野】
【０００１】
本発明は、画像形成装置に関する。
【背景技術】
【０００２】
複写機、ファクシミリ、あるいは複合機などの画像形成装置は、原稿画像を読み取るスキャナーを備えている。
【０００３】
また、このような画像形成装置の画像形成方式としては、公知の電子写真プロセスを用いたものが知られている。公知の電子写真プロセスは、次のようなプロセスで記録紙などの記録媒体に画像を形成する。
【０００４】
電子写真感光体（以降、「感光体」と記す）を回転させながら、帯電器で感光体を所定の電位に一様に帯電する。帯電した感光体を露光し潜像を形成する。この潜像を現像器で現像し、感光体上にトナー像を形成する。このトナー像は転写器で記録紙に転写され、そして、定着器で記録紙にトナー像を定着する。また、帯電器で帯電を行う前に、クリーニング機構で転写後の残留トナーを除去し、イレーサーランプで感光体に除電光を露光し電位を一様に均一化する。
【０００５】
さて、何らかの原因で画像品質が低下することがある。例えば、感光体への露光にムラが生じると、形成される画像に濃度ムラとなって表れ、画像品質が低下する。したがって、このような濃度ムラを解消するために露光の補正を行う必要がある。（例えば、特許文献１参照）。
【０００６】
そこで、以下のような補正方法が提案されている。
【０００７】
ユーザーが記録紙の画像を見て濃度ムラを確認し補正の必要を認識すると、ユーザーが操作パネルを操作し、テスト画像を記録紙に印字する。テスト画像が印字された記録紙を、ユーザーが前述した複写機、ファクシミリ、あるいは複合機などが備えているスキャナーで読み取らせる。そして、読み取った画像情報に基づいて、露光条件を補正する（例えば、特許文献２参照）。
【特許文献１】特開２００２−３０７７４７号公報
【特許文献２】特開平１１−１１２８０９号公報
【発明の開示】
【発明が解決しようとする課題】
【０００８】
しかしながら、特開平１１−１１２８０９号公報に記載されているような補正方法は、ユーザーが操作パネルを操作して所定のテスト画像を印字し、また、ユーザーがテスト画像を前述したスキャナーで読み取らせる必要があった。つまり、全てユーザー任せの補正であった。
【０００９】
したがって、ユーザーの手を煩わせるため印象が良くない。また、ユーザー任せのため画質補正が行われないこともある。
【００１０】
本発明は、上記問題を解決すべく成されたもので、複写機、ファクシミリ、あるいは複合機などが備える画像を読み取るスキャナーを用いて、自動的に画像形成手段の補正を行うことを目的とする。
【課題を解決するための手段】
【００１１】
請求項１に記載の画像形成装置は、画像を読み取る読取部と、前記読取部で読み取った画像情報、及び予め記憶された画像情報に基づき記録媒体に画像を形成する画像形成部と、画像が形成された前記記録媒体を排出部に排出する排出手段と、前記排出手段から分岐し、前記記録媒体を前記読取部に搬送する搬送手段と、画像が形成された前記記録媒体を前記排出手段と前記搬送手段とのいずれかへ搬送する経路切替手段と、前記予め記憶された画像情報に基づいて前記記録媒体に形成されたテスト画像を前記読取部で読み取り、読み取った画像情報に基づき、前記画像形成部で形成する画像の画質補正を行う補正手段と、を備えることを特徴としている。
【００１２】
請求項１に記載の画像形成装置は、読取部で原稿画像を読み取り、読み取った画像情報に基づき画像形成部で記録媒体に画像を形成する。画像が形成された記録媒体は排出手段で排出部に排出される。
【００１３】
さて、何らかの原因で記録媒体に形成された画像品質が低下すると、画像形成部で形成する画像の画質補正を行う必要がある。
【００１４】
したがって、画質補正を行うため、予め記憶された画像情報に基づき記録媒体に画像形成部でテスト画像を形成する。経路切替手段によって搬送経路が搬送手段に切り替えられ、テスト画像が形成された記録媒体は搬送手段によって読取部に送られる。読取部はテスト画像を読み取り、読み取った画像情報に基づき、補正手段で画像形成部で形成する画像の画質補正を行う。
【００１５】
このように、画像を読み取る読取部を利用し、画質補正のためのテスト画像の読み取りを行っている。よって、テスト画像を読み取るために、別途、読取機を設ける必要が無いので、低コストで省スペースな画像形成装置となっている。
【００１６】
更に、テスト画像が形成された記録媒体を自動的に読取部に搬送するので、ユーザーの手を煩わせることがない。
【００１７】
請求項２に記載の画像形成装置は、画像を読み取る読取部と、前記読取部で読み取った画像情報を通信回線で送信する送信手段と、通信回線を介して送られてきた画像情報を受信する受信手段と、前記受信手段で受信した画像情報、及び予め記憶された画像情報に基づき記録媒体に画像を形成する画像形成部と、画像が形成された前記記録媒体を排出部に排出する排出手段と、前記排出手段から分岐し前記記録媒体を前記読取部に搬送する搬送手段と、画像が形成された前記記録媒体を前記排出手段と前記搬送手段とのいずれかへ搬送する経路切替手段と、前記予め記憶された画像情報に基づいて前記記録媒体に形成されたテスト画像を前記読取部で読み取り、読み取った画像情報に基づき、前記画像形成部で形成する画像の画質補正を行う補正手段と、を備えることを特徴としている。
【００１８】
請求項２に記載の画像形成装置は、読取部で原稿画像を読み取り、読み取った画像情報を送信手段で送信する。また、通信回線を介して送られてきた画像情報を受信手段で受信し、受信した画像情報に基づいて画像形成部で記録媒体に画像を形成する。画像が形成された記録媒体は排出手段で排出部に排出される。
【００１９】
請求項１と同様に、画質補正を行うため、予め記憶された画像情報に基づき記録媒体に画像形成部でテスト画像を形成する。経路切替手段によって搬送経路が搬送手段に切り替えられ、テスト画像が形成された記録媒体は搬送手段によって読取部に送られる。読取部はテスト画像を読み取り、読み取った画像情報に基づき、補正手段で画像形成部で形成する画像の画質補正を行う。
【００２０】
したがって、請求項１と同様に、画像を読み取る読取部を利用し、画質補正のためのテスト画像の読み取りを行っている。よって、テスト画像を読み取るために、別途、読取機を設ける必要が無いので、低コストて省スペースな画像形成装置となっている。更に、テスト画像が形成された記録媒体を自動的に読取部に搬送するので、ユーザーの手を煩わせることがない。
【００２１】
請求項３に記載の画像形成装置は、請求項１又は請求項２に記載の構成において、一方の面にのみ画像が形成された前記記録媒体を収容する収容部と、前記テスト画像が前記読取部で読み取られた後、該テスト画像が形成された記録媒体を前記収容部に搬送する補助搬送手段と、を備えることを特徴としている。
【００２２】
請求項３に記載の画像形成装置は、一方の面にのみ画像が形成された記録媒体を収容する収容部を備えている。そして、テスト画像が読取部で読み取られた後、テスト画像が形成された記録媒体は、補助搬送手段で読取部から自動的に収容部に搬送される。
【００２３】
したがって、ユーザーが読取部からテスト画像を取り除く必要がない。
【００２４】
請求項４に記載の画像形成装置は、請求項３に記載の構成において、前記収容部の記録媒体は前記画像形成部に搬送されて、他方の面に画像が形成され、前記補助搬送手段は、前記テスト画像が形成された記録媒体を、テスト画像が形成されていない面に画像形成可能なように前記収容部に搬送することを特徴としている。
【００２５】
請求項４に記載の画像形成装置は、収容部の記録媒体は画像形成部に搬送されて、画像が形成されていない他方の面に画像が形成される。また、補助搬送手段は、テスト画像が形成された記録媒体を、テスト画像が形成されていない面に画像形成可能なように前記収容部に搬送している。
【００２６】
したがって、テスト画像が形成された記録媒体は、再度、画像形成部に搬送され、テスト画像が形成されていない面に、新たに画像が形成される。つまり、テスト画像が形成された記録媒体を自動的に再利用できる。よって、環境的に優れた画像形成装置である。
【００２７】
請求項５に記載の画像形成装置は、請求項１から請求項４のいずれか１項に記載において、電源投入時に前記補正手段で前記画像形成部で形成する画像の画質補正を行うことを特徴としていいる。
【００２８】
請求項５に記載の画像形成装置は、例えば、設置時などの電源投入時に、自動的に補正手段で画像形成部で形成する画像の画質補正を行うので、例えば、設置時に行う画質補正の作業が不要である
請求項６に記載の画像形成装置は、請求項１から請求項請求項５のいずれか１項に記載の構成において、所定の数の前記記録媒体に画像の形成を行うごとに、前記補正手段で前記画像形成部で形成する画像の画質補正を行うことを特徴としている。
【００２９】
請求項６に記載の画像形成装置は、所定の数の記録媒体に画像の形成を行うごとに、自動的に補正手段で画像形成部で形成する画像の画質補正を行ので、経時的に起こる画質の低下がない。
【００３０】
請求項７に記載の画像形成装置は、請求項１から請求項請求項６のいずれか１項に記載の構成において、温度を測定する温度センサー及び湿度を測定する湿度センサーのどちらか一つ、あるいは両方を備え、温度及び湿度のどちらか一つ、あるいは両方が設定値となると、自動的に補正手段で画像形成部で形成する画像の画質補正を行うことを特徴としている。
【００３１】
請求項７に記載の画像形成装置は、温湿度が設定値となると補正を行うので、温湿度の変化によって起こる、画質の低下がない。
【００３２】
請求項８に記載の画像形成装置は、請求項１から請求項７のいずれか１項に記載の構成において、前記画像形成部は、回転する像担持体と、前記像坦持体を所定の電位に帯電させる帯電手段と、帯電後の前記像担持体を露光し静電潜像を形成する露光手段と、前記静電潜像を現像し前記像担持体上にトナー像を形成する現像手段と、前記像担持体上の前記トナー像を記録媒体に転写する転写手段と、を少なくとも備える電子写真プロセス手段であって、前記補正手段は、前記帯電手段及び前記現像手段のどちらか一方、又は両方の動作電位を補正することを特徴としている。
【００３３】
請求項８に記載の画像形成装置は、画像形成部は電子写真プロセス手段によって、記録媒体に画像を形成する。そして、帯電手段及び現像手段のどちらか一方、又は両方の動作電位を補正手段が補正して画質補正を行う。
【００３４】
請求項９に記載の画像形成装置は、請求項１から請求項７のいずれか１項に記載の構成において、前記画像形成部は、回転する像担持体と、前記像坦持体を所定の電位に帯電させる帯電手段と、帯電後の前記像担持体を露光し静電潜像を形成する露光手段と、前記静電潜像を現像し前記像担持体上にトナー像を形成する現像手段と、前記像担持体上の前記トナー像を記録媒体に転写する転写手段と、を少なくとも備える電子写真プロセス手段であって、前記補正手段は、前記露光手段の露光量を補正することを特徴としている。
【００３５】
請求項９に記載の画像形成装置は、画像形成部は電子写真プロセス手段によって、記録媒体に画像を形成する。そして、露光手段の露光量を補正手段が補正し、画質補正を行う。
【００３６】
請求項１０に記載の画像形成装置は、請求項９に記載の構成において、前記露光手段は複数のＬＥＤを備え、前記各ＬＥＤの各光量を補正することを特徴としている。
【００３７】
請求項１０に記載の画像形成装置は、複数のＬＥＤの各ＬＥＤの各光量を補正し、画質補正を行うので、より精密な画質補正が行える。
【００３８】
請求項１１に記載の画像形成装置は、請求項１から請求項７のいずれか１項に記載の構成において、前記画像形成部は、複数のノズルからインク滴を吐出し、前記記録媒体に画像を形成するインクジェット記録ヘッドを備えるインクジェット記録手段であって、前記補正手段は、前記インクジェット記録ヘッドのインク滴の吐出タイミングを補正することを特徴としている。
【００３９】
請求項１１に記載の画像形成装置は、画像形成部はインクジェット記録手段で記録媒体に画像を形成する。そして、インクジェット記録ヘッドのインク滴の吐出タイミングを補正手段が補正する。よって、インク滴の記録媒体の着弾ズレが補正され、画質が補正される。
【００４０】
請求項１２の画像形成装置は、請求項１から請求項７のいずれか１項に記載の構成において、前記画像形成部は、複数のノズルからインク滴を吐出し、前記記録媒体に画像を形成するインクジェット記録ヘッドを備えるインクジェット記録手段であって、前記補正手段は、前記インクジェット記録ヘッドの前記各ノズルから吐出するインク滴の吐出量を補正することを特徴としている。
【００４１】
請求項１２の画像形成装置は、画像形成部はインクジェット記録手段で記録媒体に画像を形成する。そして、インクジェット記録ヘッドのインク滴の吐出量を補正手段が補正し、画質の補正を行う。
【発明の効果】
【００４２】
以上説明したように本発明によれば、画像を読み取る読取部を利用して、自動的に画像形成部で形成する画像の画質補正を行うことができる。
【発明を実施するための最良の形態】
【００４３】
以下、本発明に係る画像形成装置を適用した一例として、プリンター、複写機、ファクシミリが一体となった、所謂、複合機について図面を参照して説明する。
【００４４】
図１は、本発明に係る第１の実施形態の複合機１１の概略構成を示している。複合機１１は、公知の電子写真プロセスを適用して記録紙Ｐに画像を形成する。なお、公知の電子写真プロセスとは、電子写真感光体（以降、「感光体」と記す）に対する帯電、感光体への露光による潜像の形成、トナーによる潜像の現像を経て、感光体上に形成されたトナー像を記録紙に転写し、そして、トナー像を記録紙に定着することで、画像を記録する一連のプロセスを言う。
【００４５】
また、複合機１１は、シアン、マゼンタ、イエロー及びブラックの各色トナーを用いて記録紙Ｐにカラー画像の形成が可能とされたものである。
【００４６】
なお、以下の説明において、本発明の本質とは直接関係しないものについては、詳細な説明を省略する。
【００４７】
図１に示すように、複合機１１は、下部に給紙部２０が配置されている。給紙部２０には、記録紙Ｐが収容された給紙カセット２１，２２，２３，２４とが上下に重なって配置されている。なお、最下部の給紙カセット２４は、一方の面に画像が形成済みの記録紙Ｐのみが収容される、所謂、裏紙専用の給紙カセット２４となっている。
【００４８】
給紙部２０の上部には、画像形成部３０が配置されている。画像形成部３０は、前述した公知の電子写真プロセスにより、給紙部２０から送られてきた記録紙Ｐにカラー画像を形成する。また、画像形成部３０の内部には、温度センサー３０２と湿度センサー３０３とが備えられいる。
【００４９】
画像形成部３０の上部は、記録紙Ｐが排出される排紙トレイ４０となっている。
【００５０】
排紙トレイ４０の上方には、カラー画像が形成された画像を読み取るスキャナー部５０を備えている。
【００５１】
画像形成部３０とスキャナー部５０との間（排紙トレイ４０の左側）には、搬送部１００が設けられている。搬送部１００は画像形成部３０で画像が形成された記録紙Ｐを、排紙トレイ４０へ搬送し排紙する。あるいは、スキャナー部５０へ搬送する。また、スキャナー部５０の記録紙Ｐを給紙部２０へも搬送する。
【００５２】
スキャナー部５０は、原稿Ｇが置かれる透明な板状のプラテン５２（例えば、ガラス板）を備えている。また、プラテン５２上の原稿Ｇを押える原稿押え部５４を備えている。なお、原稿押え部５４は回動軸５６を中心に、２点破線と矢印Ｙとで示すように回動する。
【００５３】
原稿押え部５４の下部は、回転軸５８に巻きかけられたベルト６０で構成されている。回転軸５８は図示しない駆動機構で両方向に回転する。よって、ベルト６０は矢印Ａ、矢印Ｂのいずれにも回転する。なお、回転軸方向に対するベルト６０の幅と長さは、スキャナー部５０で読取可能な最大の原稿Ｇの幅と長さより大きい。
【００５４】
スキャナー部５０で原稿Ｇを読み取る際には、オペラータが原稿押え部５４を開き、読み取る画像が形成された面が下面、つまりプラテン５２面側が画像形成面となるように原稿Ｇを置く。そして、原稿押え部５４を閉じ、原稿Ｇをプラテン５２とベルト６０との間に挟み固定する。
【００５５】
そして、オペレーターが操作パネル（図示省略）を操作すると、プラテン５２の下方のスキャナーユニット６２が走査し、原稿Ｇの画像を読み取る。
【００５６】
スキャナー部５０の内部には、制御部１６２が備えられている。制御部１６２にはスキャナー部５０で読み取られた画像情報が送られる。
【００５７】
更に、制御部１６２は通信回線と接続されており、スキャナー部５０で読み取った画像情報を通信回線を介して送信可能であるとともに、通信回線を介して画像情報を受信可能となっている。また、外部装置からの画像情報も入力可能となっている。
【００５８】
このように、複合機１１は、外部装置から入力した画像情報に基づいた入力画像と、スキャナー部５０で原稿Ｇの画像を読み取った画像情報に基づいた読取画像と、通信回線で送られてきた画像情報に基づいた受信画像と、をそれぞれ記録紙Ｐに形成可能とされている。更に、制御部１６２に予め記憶された画像情報も、記録紙Ｐに形成可能とされている。
【００５９】
制御部１６２は、スキャナー部５０での画像の読み取り制御、スキャナー部５０で読み取った画像情報の送信制御、通信回線を介しての画像情報の受信制御、外部装置からの画像情報の入力制御、画像形成部３０及び給紙部２０の画像形成制御や給排紙制御等、複合機１１の各種制御を全て担っている。また、画像形成部３０内部の温度センサー３０２と湿度センサー３０３とで測定された測定結果も制御部１６２に送られる。
【００６０】
つぎに、画像形成部３０の構成の概要と記録紙Ｐにカラー画像の形成を行うプロセスの概要とを説明する。
【００６１】
図１に示すように、画像形成部３０には、４つの感光体ドラム１２０が並んで回転可能に配設されている。各感光体ドラム１２０は駆動手段（図示省略）により、矢印Ｋの方向に回転する。
【００６２】
各感光体ドラム１２０の左斜め下部には帯電ローラ１２２が感光体ドラム１２０に接触するように配設されており、帯電ローラ１２２に帯電バイアスＶｃを印加し、感光体ドラム１２０の表面を所定の電位に帯電する。帯電後、各感光体ドラム１２０の下方に配置された各露光ヘッド１２４によって出射された光ＬＢ（図５参照）によって露光が行われ、画像情報に応じた潜像が感光体ドラム１２０の表面に形成される。各色の現像器１２６の現像ローラ１２８には、所定の極性に帯電した各色トナーが担持されている。各感光体ドラム１２０の表面に形成された潜像は、現像ローラ１２８に現像バイアスＶｄを印加することで現像され各色トナー像となる。
【００６３】
４個の各感光体ドラム１２０にそれぞれ形成された各色のトナー像は、各感光体ドラム１２０の上方に配置された中間転写ベルト１３０上に第１転写ローラ１３２で転写され、中間転写ベルト１３０上に重畳されてフルカラーのトナー像となる。
【００６４】
一方、給紙カセット２１，２２，２３，２４いずれかに収容された記録紙Ｐが、ピックアップローラ２６により送り出され、搬送ローラ２８によって画像形成部３０に送られる。
【００６５】
画像形成部３０に送られた記録紙Ｐは搬送ローラ６４で搬送され、レジストローラ６８により所定のタイミングで第２転写ローラ１３４と中間転写ローラ１３１とのニップ部に送られ、フルカラーのトナー像が記録紙Ｐに転写される。なお、中間転写ローラ１３１側の記録紙Ｐの面にトナー像は転写される。
【００６６】
フルカラーのトナー像が転写された記録紙Ｐは定着器１３６に送られる。定着器１３６は熱と圧力とで記録紙Ｐにトナー像を定着する。トナー像が定着した記録紙Ｐは、定着器１３６から排出される。
【００６７】
一方、中間転写ベルト１３０と記録紙Ｐとにトナー像は全て転写されずに、一部は感光体ドラム１２０及び中間転写ベルト１３０に残留トナーとして残る。この残留トナーは、クリーニング装置１３８及びクリーニング装置１４０で、それぞれ除去される。
【００６８】
図５に示すように、各色の露光ヘッド１２４は、、感光体ドラム１２０の外周面に対向して感光体ドラム１２０の回転軸方向Ｊに延在し、感光体ドラム１２０に対して画像形成用の光を出射するＬＥＤアレイ１４２と、ＬＥＤアレイ１４２から出射された光を感光体ドラム１２０上に結像させるレンズアレイ１４４とから構成されている。ＬＥＤアレイ１４２は、６００ｄｐｉの間隔でＬＥＤ１４６が感光体ドラム１２０の回転軸方向Ｊに１列に配置されている。なお、各ＬＥＤ１４６は電流制御によって容易に個別に光量の制御が可能である。よって、各ＬＥＤ１４６の光量を制御することで、感光体ドラム１２０に露光される光ＬＢの露光量が変化し、形成される潜像を制御できる。具体的には、光量を上げると記録紙Ｐに形成される画像の濃度が濃くなり、また点や線も大きくなる。反対に光量を下げると、濃度が薄くなり、点や線も小さくなる。
【００６９】
図１に示すように、搬送部１００（定着器１３６の上方）には、断面が二等辺三角形状の第１ゲート２００が、頂点部が下方となるように配設されている。なお、左右の側辺２００Ａ，２００Ｂは凹へんだ曲線で構成されている。また、第１ゲート２００は回動軸２０２を回動中心に頂点部が左右に回動する。
【００７０】
外部装置から入力した画像情報に基づく入力画像、スキャナー部５０で読み取った画像情報に基づく読取画像、通信回線で送られたきた画像情報に基づく受信画像が、記録紙Ｐに形成された場合は、図４（ａ）にも示すように、第１ゲート２００が左側に回動する。
【００７１】
よって、図１示すように、定着器１３６から排出された記録紙Ｐは、側辺２００Ａにガイドされ、排紙ローラ２０４によって、排紙トレイ４０上に排出されスタックされていく。なお、画像が形成された面が下面となる。
【００７２】
なお、図１での記録紙Ｐの搬送経路Ｈ１を見ると判るように、中間転写ローラ１３１側の記録紙Ｐの面にトナー像が転写されるので、各給紙カセット２１，２２，２３，２４に収容された記録紙Ｐの下面に画像が形成される。したがって、前述した最下段の裏紙専用の給紙カセット２４には、既に画像が形成されている面が上面となるように収容されているので、画像が形成されていない面（下面）に新たな画像が画像形成部３０で形成される。
【００７３】
さて、記録紙Ｐに形成されたカラー画像は、何らかの原因で感光体ドラム１２０の潜像にムラが生じると、各色（シアン，マゼンタ，イエロー，ブラック）の濃度バランス異常や濃度ムラ等が発生する。このような画像品質の低下は、各色の露光ヘッド１２４の各ＬＥＤ１４６（図５参照）の光量を補正することで解消することができる。
【００７４】
したがって、複合機１１は、前述した入力画像、読取画像、受信画像とは別に、所定のタイミングで所定のテスト画像を記録紙Ｐに形成し、そのテスト画像をスキャナー部５０に送って読み取り、読み取った画像情報に基づき制御部１６２が、各色の露光ヘッド１２４の各ＬＥＤ１４６の光量を個別に制御し、画像品質の低下を解消している。
【００７５】
なお、ユーザーが操作パネル（図示省略）を操作し、予めテスト画像の読み取りの解像度や画像補正の特性などを設定し、各ユーザー好みの画質が常に維持できるようにしても良い。
【００７６】
なお、補正を行う所定のタイミングは、複合機１１では、５００枚印字ごと、電源投入時、温度センサー３０２と湿度センサー３０３とが測定した温湿度が設定値となったタイミングで補正を行う。
【００７７】
したがって、例えば、設置時などの電源投入時に、自動的に画質補正を行うので、設置時に行う画質補正の作業が不要となる
また、５００枚印字ごとに自動的に画質補正を行うので、経時的に起きる画質の低下はない。
【００７８】
更に、温湿度が設定値となったタイミングで補正を行うので、温湿度の変化で起きる画質の低下もない。
【００７９】
特に、本実施形態で適用した電子写真プロセス方式は、経時的及び温湿度の変化によって画像品質に影響を受けやすい。よって、５００枚印字ごと、及び温湿度が設定値となったタイミングで自動的に画質補正を行うことは、非常に有効である。
【００８０】
なお、補正を行う所定のタイミングもユーザーが操作パネル（図示省略）を操作し、設定することも可能である。
【００８１】
また、所定のテスト画像とは、画像品質の低下が顕著に表れ、また、スキャナー部５０で読み取った画像情報に基づき、補正すべき内容（本実施形態では各色の露光ヘッド１２４の各ＬＥＤ１４６の光量）を分析可能なパターンが形成された画像を指し、予め制御部１６２に記憶されている。
【００８２】
なお、各色の露光ヘッド１２４の各ＬＥＤ１４６の光量を個別に制御することで、各色（シアン、マゼンタ、イエロー，ブラック）毎の濃度バランス異常に加え、感光体ドラム１２０の回転軸方向Ｊ（図５参照）の濃度ムラも補正できる。
【００８３】
更に、テスト画像が形成された記録紙Ｐは、テスト画像が形成された面が上面となるように最下段の裏紙専用の給紙カセット２４に搬送され収容されるので、テスト画像が形成されていない面（下面）に新たな画像を形成可能となる。つまり、テスト画像が形成された記録紙Ｐが再利用される。
【００８４】
以下に、上述した補正方法を具体的に説明する。
【００８５】
図２に示すように、最下段の裏紙専用の給紙カセット２４以外の給紙カセット２１，２２，２３から給紙された記録紙Ｐが画像形成部３０に送られ、テスト画像が形成される。
【００８６】
図４（ｂ）にも示すように、テスト画像が形成された場合は、第１ゲート２００は右側に回動する。
【００８７】
第１ゲート２００の左側上方に断面が二等辺三角形状の第２ゲート２１０が、頂点部が上方となるように配設されている。第２ゲート２１０は回動軸２１２を回動中心に頂点部が左右に回動する。そして、テスト画像が形成された場合は、第２ゲート２１０は左側に回動する。
【００８８】
第２ゲート２１０の上方には搬送ローラ２１４が配設されている。搬送ローラ２１４は図示しない駆動機構で回転し、記録紙Ｐを上方と下方との両方に搬送可能となっている。
【００８９】
定着器１３６から排出されて搬送部１００に送られたテスト画像が形成された記録紙Ｐは、第１ゲート２００の側辺２００Ｂにガイドされた後、第２ゲート２１０の側辺２１０Ａにガイドされ、搬送ローラ２１４に送られる。そして、搬送ローラ２１４が記録紙Ｐを上方に搬送し、搬送口２１６からスキャナー部５０に送る。
【００９０】
スキャナー部５０のベルト６０をＡ方向に回転させて、記録紙Ｐをプラテン５２上の所定の位置に配置する。
【００９１】
スキャナーユニット６２が走査され、テスト画像を読み取り、読み取った画像情報に基づいて制御部１６２は、各ＬＥＤ１４６の光量を制御する。
【００９２】
なお、図２の記録紙Ｐの搬送経路Ｈ２を見ると判るように、テスト画像が形成された面がプラテン５２側となるように送られてきている。
【００９３】
つぎに、図３、図４（ｃ）に示すように、読み取りが完了すると第２ゲート２１０を右側に回動する。スキャナー部５０のベルト６０を矢印Ｂ方向に回転させ、搬送口２１６から搬送ローラ２１４に送る。搬送ローラ２１４は、今度は記録紙Ｐを下方に搬送する。前述したように第２ゲート２１０は右側に回動しているので、側辺２１０Ｂでガイドされ、画像形成部３０と給紙部２０との左側部に配設されている補助搬送ローラ３１０に送られる。補助搬送ローラ３１０は記録紙Ｐを搬送し、最下段の裏紙専用の給紙カセット２４に記録紙Ｐを収容する。
【００９４】
なお、図３の記録紙Ｐの搬送経路Ｈ３を見るとで判るように、テスト画像が形成された面が上面となるように裏紙専用の給紙カセット２４に収容されている。よって、テスト画像が形成された記録紙Ｐも再利用可能となっている。
【００９５】
つぎに、本実施形態に係る複合機１１の作用について説明する。
【００９６】
今まで説明したように、複合機１１は、原稿Ｇの画像をスキャナー部５０で読み取った画像情報に基づいた読取画像を記録紙Ｐに形成し（複写機能）、また、通信回線で送る（電送機能）ことができる。
【００９７】
そして、このような目的で備えているスキャナー部５０を利用し、画像品質の低下を補正するためのテスト画像の読み取りを行っている。よって、テスト画像を読み取るために、別途、読取機を設ける必要が無いので、低コストで省スペースな複合機１１となっている。
【００９８】
また、所定のタイミング（５００枚印字ごと、電源投入時、温湿度が設定値となったとき）で自動的にテスト画像を記録紙Ｐに形成し、スキャナー部５０に搬送するので、ユーザーの手を煩わせることなく、また、確実に画像品質の低下を補正でき、常に良好な画像形成が行える。
【００９９】
更に、テスト画像が形成された記録紙Ｐは、裏紙専用の給紙カセット２４に自動的に搬送され、再利用されるので、環境的にも優れている。
【０１００】
尚、本実施形態では、各色の露光ヘッド１２４の各ＬＥＤ１４６（図５参照）の光量を個別に制御して画像品質の低下を補正したが、これに限定されない。例えば、各色の現像器１２６の現像ローラ１２８に印加する現像バイアスＶｄと各色の帯電ローラ１２２に印加する帯電バイアスＶｃとのうち、どちらか一方、あるいは、両方を制御して補正を行ってもよい。また、感光体ドラム１２０の露光手段もＬＥＤ１４６を並べて配置した露光ヘッド１２４でなくても良い。レーザー光を走査して露光する光走査装置であっても良い。なお、光走査装置は、レーザー光の光量を制御することで画像品質の低下を補正できる。
【０１０１】
つぎに、本発明に係る第２の実施形態の複合機１２について説明する。
【０１０２】
第１の実施形態では、画像形成部３０は公知の電子写真プロセスを適用したが、図６、図７に示すように、第２の実施形態の複合機１２の画像形成部５３０は、複数のノズルからインク滴を吐出し、記録紙Ｐに画像を形成するインクジェット記録ヘッド５１２を備えるインクジェット記録方式を適用している。また、複合機１２は、シアン、マゼンタ、イエロー及びブラックの各色インクを用いて記録紙Ｐにカラー画像の形成が可能とされたものである。
【０１０３】
なお、画像形成部５３０以外の構成は第１の実施形態の複合機１１と同様の構成となっている。また、第１の実施形態で説明した部材には同一の符号を付し、重複する説明は省略する。
【０１０４】
図７に示すように、画像形成部５３０には、ブラック、イエロー、マゼンタ、シアンの各４色に対応した４つのインクジェット記録ヘッド５１２が交換可能（着脱可能）に搭載されたキャリッジ５１４を備えている。
【０１０５】
図６に示すように、第１の実施形態と同様に給紙部２０から記録紙Ｐが画像形成部５３０に搬送される。記録紙Ｐは、フィードロール５３２によって搬送され、プラテン５３４上を通過して、搬送ローラ５３６によって、搬送部１００の第１ゲート２００に送られる。
【０１０６】
なお、プラテン５３４上の記録紙Ｐの搬送方向を副走査方向Ｓとする。
【０１０７】
図７に示すように、インクジェット記録ヘッド５１２は、ノズル（図示省略）が形成されたインク吐出面５１２Ａ（図６参照）が記録紙Ｐと対向するようにキャリッジ５１４上に搭載され、キャリッジ５１４は、記録紙Ｐの搬送方向（副走査方向Ｓ）と直交する方向（主走査方向Ｍ）を軸方向とするキャリッジシャフト５２８に通されている。そして、キャリッジモータ５２０によりキャリッジベルト５２２を介してキャリッジ５１４は、主走査方向Ｍに往復運動する。
【０１０８】
そして、キャリッジ５１４が記録紙Ｐの動きに同期してプラテン５３４上を主走査方向Ｍに移動しながら、インクジェット記録ヘッド５１２のノズルから記録紙Ｐにインク滴を吐出することによって、一定のバンド領域ＢＥに対して画像の記録を行う。主走査方向Ｍへの１回の移動が終了すると、記録紙Ｐが副走査方向Ｓに搬送され、再びキャリッジ５１４を主走査方向Ｍに移動させながら次のバンド領域ＢＥを記録する。こうした動作（往復運動）を複数回繰り返すことにより、記録紙Ｐの全面にわたって画像の記録を行うことができる。
【０１０９】
なお、スキャナー部５０の内部に設けられている制御部１６２が、各色のインクジェット記録ヘッド５１２のインク滴の吐出タイミングと各インク滴量とを制御している。
【０１１０】
また、画像形成部５３０の内部には、第１の実施形態と同様に温度センサー３０２と湿度センサー３０３とが備えられており、画像形成部５３０の温度と湿度とを測定し、測定結果を制御部１６２に送る。
【０１１１】
つぎに、本実施形態に係る複合機１２の作用について説明する。
【０１１２】
各色の４つのインクジェット記録ヘッド５１２は、キャリッジ５１４に搭載されているが、寸法公差や交換可能（着脱可能）とするための遊び等のため、各インクジェット記録ヘッド５１２はキャリッジ５１４に高精度に位置決めされて搭載されていない。つまり、各インクジェット記録ヘッド５１２間の相対的な搭載位置には位置ズレが生じている。そして、この位置ズレによって、インク滴の記録紙Ｐの着弾位置がズレる。よって、いわゆる、色ズレが発生し画質が低下する。
【０１１３】
また、インク滴の吐出量の違いによっても濃度ムラなどの画像品質の低下が発生する。
【０１１４】
したがって、複合機１２は、前述した第１の実施形態と同様の所定のタイミングで所定のテスト画像を記録紙Ｐに形成し、そのテスト画像を搬送部１００がスキャナー部５０に送る。テスト画像をスキャナー部５０で読み取り、読み取った画像情報に基づき、各インクジェット記録ヘッドのインク滴の吐出タイミング、あるいは、インクジェット記録ヘッドの各ノズルから吐出するインク滴の吐出量を制御部１６２が制御し、画像を補正する。また、テスト画像が形成された記録紙Ｐは、最下段の裏紙専用の給紙カセット２４に搬送され、再利用される。
【０１１５】
尚、本発明は、上記の実施の形態に限定されるものではない。
【０１１６】
例えば、図３で示すように、スキャナー部５０で読み取られたテスト画像は最下段の裏紙専用の給紙カセット２４に搬送されたが、これに限定されない。例えば、ユーザーに画質補正が行われたことを通知するため、そのままスキャナー部５０に置いたままでも良いし、あるいは、排紙トレイ４０に搬送して排紙する機構を設け、排紙トレイ４０にテスト画像を排紙しても良い。
【０１１７】
また、例えば、上記の実施形態では１枚のみテスト画像を形成して、そのテスト画像に基づいて補正を行ったが、これに限定されない。異なるパターンのテスト画像を複数枚、形成し、それらの画像情報に基づいて補正を行っても良い。例えば、補正する対象（例えば、ＬＥＤの光量、現像バイアスＶｄ、帯電バイアスＶｃ、インク滴の吐出量、インク滴の吐出タイミング等）ごとに異なるテスト画像を形成しても良い。
【０１１８】
また、例えば、本実施形態では、プリンター、複写機、ファクシミリとが一体となった複合機１１，１２であったがこれに限定されない。複写機、ファクシミリの専用機であっても良い。
【０１１９】
また、画像形成部の画像形成方式も、電子写真方式やインクジェット記録方式に限定されない。例えば、微小発熱体を整列配置し、画像情報に対応した通電により選択的に発熱体を加熱するサーマルヘッドを用いたサーマルヘッド記録方式であっても良いし、帯電させたトナーを開口電極からの電気力で飛翔させ、その開口電極を通過したトナーを記録媒体に付着させトナー像を形成するトナージェット方式であっても良い。あるいは、その他の画像形成方式であっても良。また、それぞれの画像形成方式に応じた画質補正を行えば良い。
【図面の簡単な説明】
【０１２０】
【図１】本発明の第１の実施形態に係る複合機の内部を模式的に示し、入力画像、読取画像、受信画像を記録紙に形成し、排紙トレイに排紙する図である。
【図２】本発明の第１の実施形態に係る複合機の内部を模式的に示し、テスト画像を記録紙に形成し、スキャナー部に搬送する図である。
【図３】本発明の第１の実施形態に係る複合機の内部を模式的に示し、テスト画像をスキャナー部から最下段の裏紙専用の給紙カセットに搬送する図である。
【図４】（ａ）は入力画像、読取画像、受信画像を記録紙に形成した場合の第１ゲート及び第２ゲートの状態と、記録紙Ｐの搬送経路とを説明する図であり、（ｂ）はテスト画像を記録紙に形成した場合の第１ゲート及び第２ゲートの状態と、記録紙Ｐの搬送経路とを説明する図であり、（ｃ）はテスト画像を最下段の給紙カセットに搬送する場合の第１ゲート及び第２ゲートの状態と、記録紙Ｐの搬送経路とを説明する図である。
【図５】感光体と露光ヘッドとを模式的に示す図である。
【図６】本発明の第２の実施形態に係る複合機の要部を模式的に示した図である。
【図７】本発明の第２の実施形態に係る複合機の画像形成部を示した斜視図である。
【符号の説明】
【０１２１】
１１    複合機（画像形成装置）
２４    裏紙専用の給紙カセット（収容部）
３０    画像形成部
４０    排紙トレイ（排出部）
５０    スキャナー部（読取部）
１２０    感光体（像担持体）
１２２    帯電ローラ（帯電手段）
１２４    露光ヘッド（露光手段）
１２８    現像器（現像手段）
１３０    転写ベルト（転写手段）
１３１    中間転写ローラ（転写手段）
１３２    第１転写ローラ（転写手段）
１３４    第２転写ローラ（転写手段）
１４６    ＬＥＤ
１６２    制御部（補正手段、送信手段、受信手段）
２００    第１ゲート（経路切替手段）
２０４    排紙ローラ（排出手段）
２１０    第２ゲート（搬送手段、補助搬送手段）
２１４    搬送ローラ（搬送手段、補助搬送手段）
３０２    温度センサー
３０３    湿度センサー
３１０    補助搬送ローラ（補助搬送手段）
５１２    インクジェット記録ヘッド
５３０    画像形成部
Ｐ    記録紙（記録媒体）
Ｇ    原稿
【図１】
2005266279.tif 000003
【図２】
2005266279.tif 000004
【図３】
2005266279.tif 000005
【図４】
2005266279.tif 000006
【図５】
2005266279.tif 000007
【図６】
2005266279.tif 000008
【図７】
2005266279.tif 000009